(57)【要約】【課題】  複数の半導体メモリカード１０を収納するメモリカード収納ケース２０に関し、半導体メモリカード１０を収納した状態で、当該書込可否設定子１４が書込防止状態か書込可能状態かの確認が容易に行える。【解決手段】  側面に切欠部１３を有し、当該切欠部１３内に書込可否設定子１４が摺動可能に設けられている半導体メモリカード１０を収納するメモリカード収納ケース２０であって、半導体メモリカード１０を収納する１以上の収納部２２を有したケース本体２１と、ケース本体２１の各収納部２２に設けられ、収納状態の半導体メモリカード１０の書込可否設定子１４の書込防止状態・書込可能状態に応じて、当該状態を表示する書込可否表示機構３０とを備える。【選択図】  図９
2007026211.tif 000002
【特許請求の範囲】
【請求項１】
側面に切欠部を有し、当該切欠部内に書込可否設定子が摺動可能に設けられている半導体メモリカードを収納するメモリカード収納ケースであって、
前記半導体メモリカードを収納する少なくとも１以上の収納部を有したケース本体と、
前記ケース本体の各収納部に設けられ、収納状態の前記半導体メモリカードの前記書込可否設定子の書込防止状態・書込可能状態に応じて、当該状態を表示する書込可否表示機構と、を備えたメモリカード収納ケース。
【請求項２】
前記書込可否表示機構が、ケース厚と平行の軸回りに回動するレバーと、前記レバーに設けた書込防止表示・書込可能表示と、前記ケース本体に設けた表示窓とからなり、
前記レバーは、前記書込可否設定子が書込防止状態における前記切欠部に嵌入する書込防止姿勢と、前記書込可否設定子が書込可能状態における前記切欠部に嵌入する書込可能姿勢との間で回動自在であり、
前記レバーが前記書込防止姿勢において前記書込防止表示が前記表示窓から露出し、前記レバーが前記書込可能姿勢において前記書込可能表示が前記表示窓から露出する、ことを特徴とする請求項１に記載のメモリカード収納ケース。
【請求項３】
前記レバーは、付勢部材にて書込防止姿勢または書込可能姿勢に付勢されていることを特徴とする請求項２に記載のメモリカード収納ケース。
【請求項４】
前記書込可否表示機構が、付勢部材にて前記収納部内方向に付勢されたレバーと、前記レバーに設けた書込防止表示および／または書込可能表示と、前記ケース本体に設けた表示窓とからなり、
前記レバーは、前記収納部内に突出して前記書込可否設定子が書込防止状態または書込可能状態における前記切欠部に嵌入する書込防止姿勢または書込可能姿勢と、前記ケース本体内に没する書込可能姿勢または書込防止姿勢との間で突没自在であり、
前記レバーが前記書込防止姿勢において前記書込防止表示が前記表示窓から露出し、および／または前記レバーが前記書込可能姿勢において前記書込可能表示が前記表示窓から露出する、ことを特徴とする請求項１に記載のメモリカード収納ケース。
【請求項５】
前記書込可否表示機構が、付勢部材にて前記収納部内方向に付勢された第１，２レバーと、前記第１レバーに設けた書込可能表示と、前記第２レバーに設けた書込防止表示と、前記ケース本体に設けた表示窓とからなり、
前記第１レバーは、前記収納部内に突出して前記書込可否設定子が書込防止状態における前記切欠部に嵌入する書込防止姿勢と、前記ケース本体内に没する書込可能姿勢との間で突没自在であり、
前記第２レバーは、前記収納部内に突出して前記書込可否設定子が書込可能状態における前記切欠部に嵌入する書込可能姿勢と、前記ケース本体内に没する書込防止姿勢との間で突没自在であり、
前記第１レバーが前記書込防止姿勢において前記書込防止表示が前記表示窓から露出し、前記第２レバーが前記書込可能姿勢において前記書込可能表示が前記表示窓から露出する、ことを特徴とする請求項１に記載のメモリカード収納ケース。
【請求項６】
前記書込防止表示・書込可能表示が、色、文字、記号等からなる請求項１ないし請求項５のいずれかに記載のメモリカード収納ケース。
【発明の詳細な説明】
【技術分野】
【０００１】
本発明は、少なくとも１枚以上の半導体メモリカードを収納するメモリカード収納ケースに関する。
【背景技術】
【０００２】
近年、各種半導体メモリカードが、パソコン、携帯電話機、デジタススチルカメラ、デジタル家電等で多用されている。これに伴い、ユーザが所有する半導体メモリカードの枚数も増加傾向にあり、さらには半導体メモリカードの低価格化が進むことで、より一層所有枚数が増加し、ユーザによる管理が困難になりつつある。
【０００３】
そこで、複数の半導体メモリカードを収納して管理できる収納ケースが提案されている（例えば、特許文献１）。
【０００４】
従来の収納ケースは、板状の本体の表面に、半導体メモリカードの形状に合致した複数の収納部を形成してなり、当該収納部に半導体メモリカードを挿入し、収納部の内周面に突設した係止部にて係止保持される。
【特許文献１】特開２００１−１０１３６０号公報
【発明の開示】
【発明が解決しようとする課題】
【０００５】
ところで、半導体メモリカードの側面には、書込防止状態と書込可能状態とに切り替え可能な書込可否設定子が、ガイドレールに沿って摺動可能に設けられている。
【０００６】
しかし、従来の収納ケースでは、半導体メモリカードをケースに収納した状態では、書込可否設定子を一つ一つ目視で確認する必要があり、書込防止状態か書込可能状態かの判断が手間であった。特に、複数の半導体メモリカードが収納されるケースにおいて、書込防止である半導体メモリカードと書込可能な半導体メモリカードが混在している場合に、例えば、書込可能な半導体メモリカードを選択する際に、半導体メモリカードに設けられた比較的小さな書込可否設定子を確認する必要が生じ、ユーザにとって確認作業に手間がかかるという問題がった。
【課題を解決するための手段】
【０００７】
本発明のメモリカード収納ケースは、側面に切欠部を有し、当該切欠部内に書込可否設定子が摺動可能に設けられている半導体メモリカードを収納するメモリカード収納ケースであって、前記半導体メモリカードを収納する少なくとも１以上の収納部を有したケース本体と、前記ケース本体の各収納部に設けられ、収納状態の前記半導体メモリカードの前記書込可否設定子の書込防止状態・書込可能状態に応じて、当該状態を表示する書込可否表示機構とを備えたものである。
【０００８】
前記書込防止表示・書込可能表示は、例えば、色、文字、記号等からなる。
【０００９】
前記書込可否表示機構は、具体的には、ケース厚と平行の軸回りに回動するレバーと、前記レバーに設けた書込防止表示・書込可能表示と、前記ケース本体に設けた表示窓とからなり、前記レバーは、前記書込可否設定子が書込防止状態における前記切欠部に嵌入する書込防止姿勢と、前記書込可否設定子が書込可能状態における前記切欠部に嵌入する書込可能姿勢との間で回動自在であり、前記レバーが前記書込防止姿勢において前記書込防止表示が前記表示窓から露出し、前記レバーが前記書込可能姿勢において前記書込可能表示が前記表示窓から露出するものである。
【００１０】
前記レバーは、付勢部材にて書込防止姿勢または書込可能姿勢に付勢されていてもよい。
【００１１】
また、前記書込可否表示機構は、具体的には、付勢部材にて前記収納部内方向に付勢されたレバーと、前記レバーに設けた書込防止表示および／または書込可能表示と、前記ケース本体に設けた表示窓とからなり、前記レバーは、前記収納部内に突出して前記書込可否設定子が書込防止状態または書込可能状態における前記切欠部に嵌入する書込防止姿勢または書込可能姿勢と、前記ケース本体内に没する書込可能姿勢または書込防止姿勢との間で突没自在であり、前記レバーが前記書込防止姿勢において前記書込防止表示が前記表示窓から露出し、および／または前記レバーが前記書込可能姿勢において前記書込可能表示が前記表示窓から露出するものでもよい。
【００１２】
さらに、前記書込可否表示機構は、具体的には、付勢部材にて前記収納部内方向に付勢された第１，２レバーと、前記第１レバーに設けた書込可能表示と、前記第２レバーに設けた書込防止表示と、前記ケース本体に設けた表示窓とからなり、前記第１レバーは、前記収納部内に突出して前記書込可否設定子が書込防止状態における前記切欠部に嵌入する書込防止姿勢と、前記ケース本体内に没する書込可能姿勢との間で突没自在であり、前記第２レバーは、前記収納部内に突出して前記書込可否設定子が書込可能状態における前記切欠部に嵌入する書込可能姿勢と、前記ケース本体内に没する書込防止姿勢との間で突没自在であり、前記第１レバーが前記書込防止姿勢において前記書込防止表示が前記表示窓から露出し、前記第２レバーが前記書込可能姿勢において前記書込可能表示が前記表示窓から露出するものでもよい。
【００１３】
本発明のメモリカード収納ケースによると、ケース本体の各収納部に設けた書込可否表示機構により、収納状態の半導体メモリカードの書込可否設定子の書込防止状態・書込可能状態に応じて、当該状態を表示する。具体的には、レバーが回動または突没することで、半導体メモリカードの書込可否設定子が書込防止状態における切欠部に嵌入する書込防止姿勢と、書込可否設定子が書込可能状態における切欠部に嵌入する書込可能姿勢とをとり、レバーが書込防止姿勢において書込防止表示が表示窓から露出し、レバーが書込可能姿勢において書込可能表示が表示窓から露出することで、半導体メモリカードを収納した状態で、当該書込可否設定子が書込防止状態か書込可能状態かの確認が行える。
【００１４】
また、書込可否設定子が書込防止状態における切欠部に嵌入して書込防止姿勢となる第１レバーと、書込可否設定子が書込可能状態における切欠部に嵌入して書込可能姿勢となる第２レバーとを有することで、書込可否設定子を備えた半導体メモリカードの書込防止状態か書込可能状態かの確認に加え、側面に切欠部を有していない半導体メモリカードにおいては第１，２レバーが共にケース本体内に没することで、表示窓から露出する表示によって、収納部に収納されている半導体メモリカードが側面に切欠部を有していない半導体メモリカードであることが判る。
【発明の効果】
【００１５】
本発明のメモリカード収納ケースによると、半導体メモリカードを収納した状態で、当該書込可否設定子が書込防止状態か書込可能状態かの確認が容易に行えるという効果が得られる。
【発明を実施するための最良の形態】
【００１６】
（第１の実施形態）
本発明の第１の実施形態に係るメモリカード収納ケースについて、図１ないし図１３を参照しながら説明する。図１は半導体メモリカードの斜視図、図２はメモリカード収納ケースの平面図、図３〜図６はメモリカード収納ケースの側面図、図７はメモリカード収納ケースの書込可否表示機構の平面図、図８〜図１３は書込可否表示機構の動作説明図である。
【００１７】
まず、半導体メモリカードの一例であるＳＤカード（登録商標）を図１に示す。図１（ａ）は裏面から見た図、図１（ｂ）は表面から見た図である。なお、半導体メモリカードは、ＳＤカードに限るものではない。
【００１８】
半導体メモリカード１０は、メモリカード上本体１１とメモリカード下本体１２とを合体させてなり、内部の凹部にはメモリ素子やメモリ制御部（図示せず）が収容されている。メモリカード上本体１１の一側面には切欠部１３が形成されており、切欠部１３内には書込可否設定子１４がガイドレールに沿って摺動可能に設けられている。例えば、図１（ａ）を書込可能状態とすると、書込可否設定子１４に爪を掛けて矢印方向に摺動することで、図１（ｂ）に示す書込防止状態にすることができる。
【００１９】
また、長手方向の一端には複数の端子１５が並設されており、その横には逆挿入防止部１６が設けられており、さらにメモリカード上本体１１の他側面には凹部１７が形成されている。
【００２０】
次に、図２ないし図６を用いて、メモリカード収納ケースについて説明する。図２は蓋を開いた状態の平面図、図３は蓋を開いた状態の矢印Ａ方向から見た側面図、図４は蓋を開いた状態の矢印Ｂ方向から見た側面図、図５は蓋を閉じた状態の矢印Ａ方向から見た側面図、図６は蓋を閉じた状態の矢印Ｂ方向から見た側面図である。
【００２１】
メモリカード収納ケース２０は、半導体メモリカード１０を収納する８個の収納部２２を有したケース本体２１と、ケース本体２１に開閉自在に一体形成された蓋２３とからなる。なお、メモリカード収納ケース２０は例えば合成樹脂にて形成されるが、金属製や木製等であってもよい。
【００２２】
ケース本体２１の各収納部２２は、有底の凹部からなり、内周面には、半導体メモリカード１０の凹部１７に嵌合する凸部２４、逆挿入防止部１６に合致するテーパ状入隅部２５が形成されている。
【００２３】
また、収納した半導体メモリカード１０の書込可否設定子１４に対応する位置に、書込可否表示機構が設けられている。書込可否表示機構部分にはカバー２６が収納部２２内に突設されており、半導体メモリカード１０は、矢印Ｂ方向から各収納部２２に挿入してカバー２６の内側に差し込み、凹部１７に凸部２４が嵌合し、かつ逆挿入防止部１６がテーパ状入隅部２５に合致する姿勢にて、収納部２２に収納される。ここで、凸部２４は、弾性を有しているので、半導体メモリカード１０を押さえて固定することができる。
【００２４】
また、半導体メモリカード１０を取り出す際には、各収納部２２のテーパ状入隅部２５の近傍に設けたボタン２７を押圧することで、半導体メモリカード１０が飛び出し、容易に取り出すことができる。半導体メモリカード１０を取り外すための方法としては、板ばね、コイルばね、空気ばね、ゴム、カム機構など、ボタン２７と連動する弾性体や機構を収納部２２内に用いればよい。
【００２５】
書込可否表示機構について、図７を用いて詳細に説明する。
【００２６】
書込可否表示機構３０は、ケース厚と平行の軸３２回りに回動するレバー３１と、レバー３１に設けた書込防止表示３４・書込可能表示３３と、ケース本体２１に設けた表示窓３５とからなる。
【００２７】
レバー３１は、両先端３６，３７が円弧状をした略Ｌ字形に形成されており、中央にて軸３２回りに回動自在にケース本体２１に取り付けられている。
【００２８】
レバー３１は、半導体メモリカード１０の書込可否設定子１４が書込防止状態における切欠部１３に、一方の先端３６が嵌入する書込防止姿勢と、書込可否設定子１４が書込可能状態における切欠部１３に、他方の先端３７が嵌入する書込可能姿勢と間で回動自在となっている。
【００２９】
レバー３１の背部には、表示片３９が一体に形成されており、表示片３９の表面の先端３６側には書込可能表示３３となる色（例えば青色）に着色されており、先端３７側には書込防止表示３４となる色（例えば赤色）に着色されている。さらに、表示片３９の背部の中央には、引っ張りコイルばね３８がケース本体２１との間に接続されており、図７に示すように、レバー３１は両先端３６，３７が等しく収納部２２内に突出する姿勢となるように付勢される。
【００３０】
表示窓３５は、レバー３１が書込防止姿勢において書込防止表示３４が露出する位置においてケース本体２１に形成した第１表示窓３５ａと、レバー３１が書込可能姿勢において書込可能表示３３が露出する位置においてケース本体２１に形成した第２表示窓３５ｂとからなる。
【００３１】
次に、書込可否表示機構３０の動作について、図８ないし図１３を用いて説明する。
【００３２】
半導体メモリカード１０を矢印Ｂ方向から収納部２２に挿入する。書込可否設定子１４が書込防止状態の場合、図８，９に示すように、書込可否設定子１４にて先端３７が押され、引っ張りコイルばね３８に抗してレバー３１が矢印方向に回動し、先端３６が切欠部１３に嵌入する。その結果、書込防止表示３４が第１表示窓３５ａから露出し、すなわち第１表示窓３５ａ内が赤色となり、収納された半導体メモリカード１０が書込防止状態であることが判る。なお、第２表示窓３５ｂ内は、例えばケース本体２１と同色となることで目立たないようにするのが好ましい。
【００３３】
また、書込可否設定子１４が書込可能状態の場合、図１０，１１に示すように、書込可否設定子１４にて先端３６が押され、引っ張りコイルばね３８に抗してレバー３１が矢印方向に回動し、先端３７が切欠部１３に嵌入する。その結果、書込可能表示３３が第２表示窓３５ｂから露出し、すなわち第２表示窓３５ｂ内が青色となり、収納された半導体メモリカード１０が書込可能状態であることが判る。なお、第１表示窓３５ａ内は、例えばケース本体２１と同色となることで目立たないようにするのが好ましい。
【００３４】
さらに、収納部２２に半導体メモリカード１０が収納されていない時は、図１２，１３に示すように、引っ張りコイルばね３８にて、レバー３１の両先端３６，３７が等しく収納部２２内に突出する姿勢に付勢され、その結果、書込可能表示３３が第１表示窓３５ａから露出して第１表示窓３５ａ内が青色となり、かつ、書込防止表示３４が第２表示窓３５ｂから露出して第２表示窓３５ｂ内が赤色となり、半導体メモリカード１０が収納されている収納部２２における表示との間で差異が生じることになる。
【００３５】
このように構成されたメモリカード収納ケース２０によると、収納部２２に収納した半導体メモリカード１０の書込可否設定子１４が書込防止状態において、書込可否表示機構３０のレバー３１が書込防止姿勢となり、書込防止表示３４が第１表示窓３５ａから露出し、書込可否設定子１４が書込可能状態において、レバー３１が書込可能姿勢となり、書込可能表示３３が第２表示窓３５ｂから露出するので、半導体メモリカード１０を収納した状態で、当該書込可否設定子１４が書込防止状態か書込可能状態かの確認が容易に行える。また、レバー３１の先端３６，３７が円弧状に形成されており、円滑に切欠部１３に嵌入し操作性に優れる。
【００３６】
なお、書込防止表示３４・書込可能表示３３は色によるものに限らず、例えば、表示片３９の表面に記載したロック・アンロック等の文字が表示窓３５から露出するもの、逆にロック・アンロック等の文字のうち不要な方を塞ぐもの、表示片３９が透光性の部材で構成されており、ケース本体２１の底面の投光部から入射した自然光によって、表示片３９の書込防止表示３４・書込可能表示３３の各色が表示窓３５から露出するもの、表示片３９の表面に記載した矢印等の記号が表示窓３５から露出し、当該矢印がケース本体２１の表面に記載したロック・アンロック等の文字を指し示すものなどであってもよい。また、書込防止表示３４・書込可能表示３３が、１個の表示窓を共用して表示されるものでもよい。
【００３７】
また、半導体メモリカード１０は図示のものに限らず、例えば、ケース本体２１の形状、収納部２２の個数、蓋２３の有無などの設計は自由である。また、書込可否表示機構３０も図示のものに限らず、例えば、レバー３１の形状、コイルばね３８の代わりに板ばね等を用いるなどの設計は自由である。この点は、第２，３の実施形態でも同様である。
【００３８】
また、レバー３１は引っ張りコイルばね３８にて付勢されていなくてもよい。すなわち、収納部２２に半導体メモリカード１０が収納されていない場合は、収納部２２を見れば半導体メモリカード１０が無いことが一目で判るため、表示窓３５の表示を無視できることによる。
【００３９】
さらに、レバー３１が、付勢部材である引っ張りコイルばねにて、書込防止姿勢または書込可能姿勢のいずれかの姿勢に付勢されていてもよい。
【００４０】
（第２の実施形態）
本発明の第２の実施形態に係るメモリカード収納ケースについて、図１４および図１５を参照しながら説明する。本実施形態は書込可否表示機構が第１の実施形態と異なっており、半導体メモリカードならびにケース本体は第１の実施形態と同様に構成されており、その説明を省略する。
【００４１】
本実施形態の書込可否表示機構４０は、付勢部材となる圧縮コイルばね４３にて収納部内方向に突出付勢されたレバー４１と、レバー４１に設けた書込防止表示・書込可能表示４２と、ケース本体２１に設けた表示窓３５とからなる。
【００４２】
レバー４１は、先端４４が円弧状に形成されており、表面には書込可能表示４２となる色に着色されている。また、レバー４１は、不図示のガイドにて、収納部内方向への突没移動が円滑に行われるように構成されている。
【００４３】
図１４は、書込可否設定子１４が書込防止状態の半導体メモリカード１０を収納部２２に収納した状態を示している。この場合、レバー４１が圧縮コイルばね４３にて突出付勢されて切欠部１３に嵌入して、書込防止姿勢となる。表示窓３５には特に表示はされない。
【００４４】
図１５は、書込可否設定子１４が書込可能状態の半導体メモリカード１０を収納部２２に収納した状態を示している。この場合、書込可否設定子１４によってレバー４１が圧縮コイルばね４３の付勢に抗してケース本体２１内に没して、書込可能姿勢となる。表示窓３５には、書込可能表示４２が露出される。
【００４５】
このように構成されたメモリカード収納ケース２０においても、半導体メモリカード１０を収納した状態で、当該書込可否設定子１４が書込防止状態か書込可能状態かの確認が容易に行える。
【００４６】
また、レバー４１は、収納部内方向に突没する形式であって、かつ先端４４が円弧状に形成されているので、半導体メモリカード１０の挿入方向が、図２に示す矢印Ｂ方向に限らず、矢印Ａ方向とその逆方向から挿入された場合でも、書込可能姿勢または書込防止姿勢をとることができる。
【００４７】
なお、表示窓３５には、書込防止表示が表示されるようにしてもよく、あるいは書込防止表示および書込可能表示が表示されるようにしてもよい。
【００４８】
また、レバー４１の設置位置をずらすことで、レバー４１は、書込可否設定子１４が書込可能状態の半導体メモリカード１０を収納部２２に収納した場合に、レバー４１が圧縮コイルばね４３にて突出付勢されて切欠部１３に嵌入して、書込可能姿勢となり、書込可否設定子１４が書込防止状態の半導体メモリカード１０を収納部２２に収納した場合に、書込可否設定子１４に押圧されてレバー４１がケース本体２１内に没して、書込防止姿勢となるようにしてもよい。
【００４９】
（第３の実施形態）
本発明の第３の実施形態に係るメモリカード収納ケースについて、図１６ないし図１８を参照しながら説明する。本実施形態は書込可否表示機構が第１の実施形態と異なっており、半導体メモリカードならびにケース本体は第１の実施形態と同様に構成されており、その説明を省略する。
【００５０】
本実施形態の書込可否表示機構５０は、付勢部材となる圧縮コイルばね５７にて収納部内方向に突出付勢された第１レバー５１と、付勢部材となる圧縮コイルばね５８にて収納部内方向に突出付勢された第２レバー５２と、第１レバー５１に設けた書込可能表示５５と、第２レバー５２に設けた書込防止表示５６と、ケース本体２１に設けた第１，２表示窓３５ａ，３５ｂとからなる。
【００５１】
第１，２レバー５１，５２は、先端５３，５４が円弧状に形成されており、不図示のガイドにて、収納部内方向への突没移動が円滑に行われるように構成されている。
【００５２】
図１６は、書込可否設定子１４が書込防止状態の半導体メモリカード１０を収納部２２に収納した状態を示している。この場合、第１レバー５１が圧縮コイルばね５７にて突出付勢されて切欠部１３に嵌入し、かつ、書込可否設定子１４によって第２レバー５２が圧縮コイルばね５８の付勢に抗してケース本体２１内に没し、書込防止姿勢となる。第２表示窓３５ｂには書込防止表示５６が露出する。
【００５３】
図１７は、書込可否設定子１４が書込可能状態の半導体メモリカード１０を収納部２２に収納した状態を示している。この場合、書込可否設定子１４によって第１レバー５１が圧縮コイルばね５７の付勢に抗してケース本体２１内に没し、かつ、第２レバー５２が圧縮コイルばね５８にて突出付勢されて切欠部１３に嵌入し、書込可能姿勢となる。第１表示窓３５ａには書込可能表示５５が露出する。
【００５４】
図１８は、切欠部１３を有していない半導体メモリカード１０を収納部２２に収納した状態を示している。切欠部１３を有していない半導体メモリカード１０としては、書込可否設定子１４を有していないＳＤカードや、ＭＭＣカード（登録商標）などが挙げられる。この場合、半導体メモリカード１０によって、第１レバー５１が圧縮コイルばね５７の付勢に抗してケース本体２１内に没し、かつ、第２レバー５２が圧縮コイルばね５８の付勢に抗してケース本体２１内に没し、第１表示窓３５ａには書込可能表示５５が露出するとともに、第２表示窓３５ｂには書込防止表示５６が露出することで、半導体メモリカード１０が切欠部１３を有していないことが判る。
【００５５】
このように構成されたメモリカード収納ケース２０においても、半導体メモリカード１０を収納した状態で、当該書込可否設定子１４が書込防止状態か書込可能状態かの確認が容易に行える。また、収納部に収納されている半導体メモリカードが切欠部１３を有していない半導体メモリカードである場合にも、収納状態で判断することができる。
【産業上の利用可能性】
【００５６】
本発明は、複数のＳＤカードやＭＭＣカード等の半導体メモリカードを収納するメモリカード収納ケースに有用である。
【図面の簡単な説明】
【００５７】
【図１】本発明の第１の実施形態に係る半導体メモリカードの斜視図
【図２】本発明の第１の実施形態に係るメモリカード収納ケースの平面図
【図３】本発明の第１の実施形態に係るメモリカード収納ケースの側面図
【図４】本発明の第１の実施形態に係るメモリカード収納ケースの側面図
【図５】本発明の第１の実施形態に係るメモリカード収納ケースの側面図
【図６】本発明の第１の実施形態に係るメモリカード収納ケースの側面図
【図７】本発明の第１の実施形態に係るメモリカード収納ケースの書込可否表示機構の平面図
【図８】本発明の第１の実施形態に係る書込防止状態の書込可否表示機構の動作説明図
【図９】本発明の第１の実施形態に係る書込防止状態の書込可否表示機構の動作を示す斜視図
【図１０】本発明の第１の実施形態に係る書込可能状態の書込可否表示機構の動作説明図
【図１１】本発明の第１の実施形態に係る書込可能状態の書込可否表示機構の動作を示す斜視図
【図１２】本発明の第１の実施形態に係る半導体メモリカードが未収納状態の書込可否表示機構の動作説明図
【図１３】本発明の第１の実施形態に係る半導体メモリカードが未収納状態の書込可否表示機構の動作を示す斜視図
【図１４】本発明の第２の実施形態に係る書込防止状態の書込可否表示機構の動作説明図
【図１５】本発明の第２の実施形態に係る書込可能状態の書込可否表示機構の動作説明図
【図１６】本発明の第３の実施形態に係る書込防止状態の書込可否表示機構の動作説明図
【図１７】本発明の第３の実施形態に係る書込可能状態の書込可否表示機構の動作説明図
【図１８】本発明の第３の実施形態に係る書込可否設定子を備えていない半導体メモリカードが収納された場合の書込可否表示機構の動作説明図
【符号の説明】
【００５８】
１０  半導体メモリカード
１３  切欠部
１４  書込可否設定子
２０  メモリカード収納ケース
２１  ケース本体
２２  収納部
３０，４０，５０  書込可否表示機構
３１，４１，５１，５２  レバー
３３，４２，５２  書込可能表示
３４，５６  書込防止表示
３５  表示窓
４３，５７，５８  圧縮コイルばね（付勢部材）
【図１】
2007026211.tif 000003
【図２】
2007026211.tif 000004
【図３】
2007026211.tif 000005
【図４】
2007026211.tif 000006
【図５】
2007026211.tif 000007
【図６】
2007026211.tif 000008
【図７】
2007026211.tif 000009
【図８】
2007026211.tif 000010
【図９】
2007026211.tif 000011
【図１０】
2007026211.tif 000012
【図１１】
2007026211.tif 000013
【図１２】
2007026211.tif 000014
【図１３】
2007026211.tif 000015
【図１４】
2007026211.tif 000016
【図１５】
2007026211.tif 000017
【図１６】
2007026211.tif 000018
【図１７】
2007026211.tif 000019
【図１８】
2007026211.tif 000020